(57)【要約】【課題】操作レバーの操作性をよくし、かつ前面板への操作レバーの組み付け作業を容易とし、しかも構造が簡単で、安価に製造しうるようにした引出し装置を提供する。【解決手段】操作レバー８の一端に手掛け部８ｃを設けるとともに、他端に折り返し部８ｄを設け、この折り返し部８ｄの内側角部を、裏面板６の上縁に係合することにより、この角部を中心として、操作レバー８が前後方向に回動しうるようにし、かつ前面板５に、操作レバー８が前面板５から外方に外れるのを阻止する外れ止め手段１２と、操作レバー８が前面板５の縁に沿う方向へ移動するのを阻止する規制手段８ｅとを設け、さらに、操作レバー８とラッチ機構９とを、操作レバー８の前方への回動により、ラッチ機構９を解除しうるように連係する。【選択図】  図２
2010017307.tif 000002
【特許請求の範囲】
【請求項１】
物品収容部の前面に前面板を設けた引出しに、前記物品収容部が前方に引出し可能として収容されている筐体と係合することにより、引出しの前方への移動を阻止するようにしたラッチ機構と、引出しの前方からの操作により、前記ラッチ機構と筐体との係合を解除させる操作レバーとを設けた引出し装置において、
前記操作レバーの一端に手掛け部を設けるとともに、同じく他端に折り返し部を設け、この折り返し部の内側角部を、前記前面板の上下または左右の縁に係合することにより、この角部を中心として、操作レバーが前後方向に回動しうるようにし、かつ前記前面板または操作レバーに、操作レバーが前面板から外方に外れるのを阻止する外れ止め手段と、操作レバーが前面板の縁に沿う方向へ移動するのを阻止する規制手段とを設け、さらに、前記操作レバーとラッチ機構とを、前記操作レバーの前方への回動により、ラッチ機構を解除しうるように連係したことを特徴とする引出し装置。
【請求項２】
前面板を、物品収容部の前面に設けた裏面板と、この裏面板の前面を覆う表面板とをもって構成し、前記裏面板の上下または左右の縁に、操作レバーの折り返し部の内側角部を係合し、かつ前記裏面板の前面における操作レバー以外の部分を、前記表面板により覆った請求項１記載の引出し装置。
【請求項３】
操作レバーの長さを、その折り返し部の内側角部が係止される引出しの前面板の上下の長さ、または左右の長さとほぼ等しくした請求項１または２記載の引出し装置。
【請求項４】
操作レバーにより、表面板における操作レバー寄りの端面の全体を覆った請求項２に従属する請求項３記載の引出し装置。
【請求項５】
外れ止め手段を、操作レバーの後面に突設され、かつ前面板における操作レバーの折り返し部の内側角部が係合する縁より内方に向かって延出する内向き片の内端に係合することにより、操作レバーが前面板から外方に外れるのを阻止するようにした突片により構成した請求項１〜４のいずれかに記載の引出し装置。
【請求項６】
規制手段を、操作レバーの後面に突設され、かつ前面板における操作レバーの折り返し部の内側角部が係合する縁をその両端より挟むことにより、操作レバーが前面板の縁に沿う方向へ移動するのを阻止するようにした１対の挾持片により構成した請求項１〜５のいずれかに記載の引出し装置。
【請求項７】
操作レバーの手掛け部側の端部に、前面板の中央に向かって突出する突軸を設け、この突軸が操作レバーとともに、その折り返し部の角部を中心として前方に回動することにより、ラッチ機構を解除しうるように、操作レバーとラッチ機構とを連係した請求項１〜６のいずれかに記載の引出し装置。
【請求項８】
ラッチ機構を、操作レバーの裏面に突設され、かつ前面板を貫通して後方に突出し、後端部が筐体に係脱するようにしたラッチレバーを備えるものとした請求項１〜６のいずれかに記載の引出し装置。
【発明の詳細な説明】
【技術分野】
【０００１】
本発明は、机やキャビネット等における引出し装置に関する。
【背景技術】
【０００２】
従来の机やキャビネット等の引出しには、筐体と係合することにより、その前方への移動を阻止して、引出しが振動等により、意図せずに開くのを防止するようにしたラッチ機構と、引出しの前面より操作することにより、ラッチ機構と筐体との係合を解除させるようにした左右方向を向く操作レバーとを設けたものが多い(例えば特許文献１〜３参照)。
【０００３】
また、操作レバーを、引出しの前面板の上端における上方に開放した部分に設けたものもある(例えば特許文献４または５参照)。
【特許文献１】特開２００３−２３９６０５号公報
【特許文献２】特開平９−２５６７１２号公報
【特許文献３】特開平１０−１４６８５号公報
【特許文献４】特開２００７−１３５８３５号公報
【特許文献５】特開２００４−８９４２０号公報
【発明の開示】
【発明が解決しようとする課題】
【０００４】
特許文献１〜３のものにおいては、前面板を中空箱状とし、その内部に操作レバーを配設し、かつ前面板に開口を設け、この開口を経て、操作レバーを操作するようにしているので、操作レバーと開口との位置合わせが面倒であるとともに、前面板内への操作レバーの組み付け作業が煩雑である。
【０００５】
特許文献４のものにおいては、操作レバーの上方が開放されているので、操作性はよいが、操作レバーの構造が複雑であり、かつ操作レバーを前面板に装着した後、カバー体を前面板に装着して、操作レバーが前面板から脱落しないようにしなければならないので、組み付け作業が面倒である。
【０００６】
特許文献５のものにおいては、操作レバーの下端部を、左右方向を向く軸をもって前面板に枢着しているので、その組み付け作業が煩雑である。
因みに、操作レバーを軸をもって枢着するという点では、特許文献１〜３のものも同様であり、やはりその組み付け作業が面倒である。
【０００７】
本発明は、従来の技術が有する上記のような問題点に鑑み、操作レバーの操作性をよくし、かつ前面板への操作レバーの組み付け作業を容易とし、しかも構造が簡単で、安価に製造しうるようにした引出し装置を提供することを目的としている。
【課題を解決するための手段】
【０００８】
本発明によると、上記課題は、次のようにして解決される。
(１)  物品収容部の前面に前面板を設けた引出しに、前記物品収容部が前方に引出し可能として収容されている筐体と係合することにより、引出しの前方への移動を阻止するようにしたラッチ機構と、引出しの前方からの操作により、前記ラッチ機構と筐体との係合を解除させる操作レバーとを設けた引出し装置において、
前記操作レバーの一端に手掛け部を設けるとともに、同じく他端に折り返し部を設け、この折り返し部の内側角部を、前記前面板の上下または左右の縁に係合することにより、この角部を中心として、操作レバーが前後方向に回動しうるようにし、かつ前記前面板または操作レバーに、操作レバーが前面板から外方に外れるのを阻止する外れ止め手段と、操作レバーが前面板の縁に沿う方向へ移動するのを阻止する規制手段とを設け、さらに、前記操作レバーとラッチ機構とを、前記操作レバーの前方への回動により、ラッチ機構を解除しうるように連係する。
【０００９】
このような構成とすると、操作レバーの折り返し部の内側角部を、前面板の上下または左右の縁に係合させるだけで、操作レバーを前面板に簡単に装着することができ、その後、外れ止め手段と規制手段とを、前面板に設けるだけで、組み付け作業を簡単に行うことができる。
また、操作レバーの外方が開放しているので、操作レバーの操作性、および体裁がよい。
【００１０】
(２)  上記(１)項において、前面板を、物品収容部の前面に設けた裏面板と、この裏面板の前面を覆う表面板とをもって構成し、前記裏面板の上下または左右の縁に、操作レバーの折り返し部の内側角部を係合し、かつ前記裏面板の前面における操作レバー以外の部分を、前記表面板により覆う。
【００１１】
このような構成とすると、裏面板の前面が、操作レバーと表面板とにより覆われ、体裁がよい。
【００１２】
(３)  上記(１)または(２)項において、操作レバーの長さを、その折り返し部の内側角部が係止される引出しの前面板の上下の長さ、または左右の長さとほぼ等しくする。
【００１３】
このような構成とすると、操作レバーのどの部分を操作しても、ラッチ機構を解除できるので、使い勝手がよい。
【００１４】
(４)  上記(２)項に従属する(３)項において、操作レバーにより、表面板における操作レバー寄りの端面の全体を覆う。
【００１５】
このような構成とすると、表面板における操作レバー寄りの端面の全体が、操作レバーにより覆われるので、体裁がよい。
【００１６】
(５)  上記(１)〜(４)項のいずれかにおいて、外れ止め手段を、操作レバーの後面に突設され、かつ前面板における操作レバーの折り返し部の内側角部が係合する縁より内方に向かって延出する内向き片の内端に係合することにより、操作レバーが前面板から外方に外れるのを阻止するようにした突片により構成する。
【００１７】
このような構成とすると、外れ止め手段の構造を簡素化し、安価に製造することができる。
【００１８】
(６)  上記(１)〜(５)項のいずれかにおいて、規制手段を、操作レバーの後面に突設され、かつ前面板における操作レバーの折り返し部の内側角部が係合する縁をその両端より挟むことにより、操作レバーが前面板の縁に沿う方向へ移動するのを阻止するようにした１対の挾持片により構成する。
【００１９】
このような構成とすると、規制手段の構造を簡素化し、安価に製造することができる。
【００２０】
(７)  上記(１)〜(６)項のいずれかにおいて、操作レバーの手掛け部側の端部に、前面板の中央に向かって突出する突軸を設け、この突軸が操作レバーとともに、その折り返し部の角部を中心として前方に回動することにより、ラッチ機構を解除しうるように、操作レバーとラッチ機構とを連係する。
【００２１】
このような構成とすると、操作レバーとラッチ機構との連係構造を簡素化することができるとともに、突軸と操作レバーとを一体として、前面板に容易に組み付けることができる。
【００２２】
(８)  上記(１)〜(６)項のいずれかにおいて、ラッチ機構を、操作レバーの裏面に突設され、かつ前面板を貫通して後方に突出し、後端部が筐体に係脱するようにしたラッチレバーを備えるものとする。
【００２３】
このような構成とすると、ラッチ機構と操作レバーとを、著しく簡素化することができ、特に、それらを一体として形成することさえできる。
【発明の効果】
【００２４】
本発明によると、操作レバーの操作性をよくすることができ、かつ前面板への操作レバーの組み付け作業が容易であり、しかも構造が簡単で、安価に製造しうるようにした引出し装置を提供することができる。
【発明を実施するための最良の形態】
【００２５】
以下、本発明の実施形態を、添付図面を参照して説明する。  
図１は、本発明の第１の実施形態を備えるキャビネットの正面図、図２は、引出しの分解斜視図、図３は、図２における裏面板の右側上部の拡大分解斜視図、図４は、引出しの一部切欠き正面図、図５は、引出しの前部の側面図、図６は、図４におけるVI−VI線拡大縦断側面図、図７は、図４におけるVII−VII線拡大縦断側面図、図８は、図４におけるVIII−VIII線拡大横断平面図である。なお、左右は、図１および図４に関して言うものとする。
【００２６】
このキャビネットは、前面が開口する筐体１内に、上下に並ぶ３個の引出し２を、互いに独立して、前方に引出し可能として装着したものである。
なお、３個の引出し２は、最上段のものだけに施錠装置３を設けてあることを除いては、互いに同一構造であるので、以下の説明においては、最上段の引出し２のみについて説明する。
また、施錠装置３および各引出し２の支持構造は、本発明に直接関係しないので、詳細な説明は省略する。
【００２７】
引出し２は、上面が開口する箱状の物品収容部４の前面に、中空扁平箱状の前面板５を設けてなり、物品収容部４を、筐体１内に挿入しうるようになっている。
【００２８】
前面板５は、物品収容部４の前面に設けた裏面板６と、この裏面板６の前面における上端部以外の部分を覆う表面板７とをもって構成されており、この裏面板６の前面における、表面板７により覆われていない上端部に、操作レバー８が装着されている。
【００２９】
裏面板６は、物品収容部４の前面を閉塞する垂直の基片６ａと、物品収容部４の両側方に突出するようにして、基片６ａの両側部に連設された側枠部６ｂと、基片６ａの下端より前方を向く下片６ｃと、基片６ａの上端より前方を向く上片６ｄと、この上片６ｄの前端に連設された上向き突片６ｅと、上向き突片６ｅの上端より前方に倒立Ｕ字状に折り返され、かつ上向き突片６ｅの前面に沿ってそれより下方に垂下する垂下片６ｆとを備えている。
裏面板６における右方の側枠部６ｂには、引出し２の前方への移動を阻止するラッチ機構９が装着されている。
【００３０】
表面板７は、化粧板により、後面が開口する奥行きの浅い箱状に形成され、垂直の基片７ａと、基片７ａの両側端から後方を向く両側片７ｂと、基片７ａの下端より後方を向く下片７ｃと、基片７ａの上端より後方を向く上片７ｄと、この上片７ｄの後端より垂下する垂下片７ｅとを備えている。
【００３１】
表面板７は、操作レバー８を裏面板６の上端部に装着した後、裏面板６における操作レバー８より下方の部分を覆うとともに、それに装着されたラッチ機構９の前部を覆うようにして、裏面板６に装着され、垂下片７ｅを裏面板６における基片６ａに、また下片７ｃを裏面板６における下片６ｃに、それぞれ固定ねじ１０をもって固着されている。
【００３２】
操作レバー８は、左右方向の長さを表面板７の左右方向の幅とほぼ同一とした長尺のもので、垂直の基片８ａと、基片８ａの下端より前方を向く下片８ｂと、この下片８ｂの前端より起立する手掛け部８ｃと、基片８ａの上端より後下方へ倒立Ｖ字またはＵ字状に折り返されたように連設された折り返し部８ｄとを備えており、この折り返し部８ｄと基片８ａとの内側角部を、裏面板６における上向き突片６ｅの上縁に係合することにより、上記角部を中心として、下端が前後方向に回動可能として、裏面板６に装着されている。
【００３３】
折り返し部８ｄの左右方向の長さは、基片８ａの左右方向の長さより短く、かつ裏面板６の上向き突片６ｅの左右方向の長さとほぼ同一としてあり、折り返し部８ｄの内側の空間の両側端は、基片８ａの裏面に突設した左右１対の挾持片８ｅにより閉塞されている。
この左右の挾持片８ｅにより、裏面板６における上向き突片６ｅを両側方より挟むことによって、操作レバー８が、前面板５の上縁に沿う左右方向へ移動するのを阻止する規制手段が形成されている。
【００３４】
折り返し部８ｄの内面には、上方に向かって前後幅を大とした三角形状の複数のリブ１１が、左右方向に適宜の間隔をもって設けられている。
【００３５】
基片８ａの後面には、後方に突出し、かつ上端が裏面板６の垂下片６ｆの下縁に係合することにより、操作レバー８が裏面板６から上方に外れるのを阻止するようにした複数の突片１２が、左右方向に適宜の間隔をもって設けられている。
この突片１２の上端縁は、基片８ａと折り返し部８ｄとの内側角部を中心とする円弧状とするのが好ましい。
【００３６】
この突片１２により、操作レバー８が前面板５から外方(この例では上方)に外れるのを阻止する外れ止め手段が形成されている。
なお、裏面板６の垂下片６ｆを、図示のものより下方に長く形成し、その長くした部分に設けた係合孔(図示略)に、上記突片１２を嵌合することにより、この突片１２と係合孔とによって、外れ止め手段だけでなく、操作レバー８が前面板５の上縁に沿う左右方向へ移動するのを阻止する規制手段をも形成するようにしてもよい。
【００３７】
下片８ｂの下面には、３個の下向きの突起１３が、左右方向に適宜の間隔をもって突設されており、各突起１３を、表面板７の上片７ｄに設けた前後方向を向く長孔１４に嵌合することにより、基片８ａの角部を中心とする操作レバー８の回動範囲を所要範囲に規制する規制手段が形成されている。
【００３８】
下片８ｂの右側部の下面には、下方に向かって突出する突軸１５が設けられており、この突軸１５は、表面板７の上片７ｄに後端より前方に向かって切り欠かれた平面視Ｕ字状の切欠き１６を通って、表面板７の内方に垂下している。
この突軸１５は、操作レバー８が、その折り返し部８ｄの角部を中心として前方に回動することにより、ラッチ機構９を解除しうるように、ラッチ機構９と連係されている。
【００３９】
表面板７の上片７ｄは、操作レバー８の下片８ｂにより覆われているので、上片７ｄに設けた長孔１４や切欠き１６が外部に露呈することがなく、体裁がよい。
【００４０】
次に、ラッチ機構９の詳細について説明する。
裏面板６における右方の側枠部６ｂには、上下方向を向くラッチ軸１７が、上下１対の軸受部材１８、１９をもって枢支されている。このラッチ軸１７の上端部には、左方を向くアーム部１７ａが折曲形成されている。
【００４１】
下方の軸受部材１９は、正面視方形枠状をなし、その内部には、ラッチ軸１７に固嵌された後方を向くラッチレバー２０の前端部が配設されている。
ラッチレバー２０は、裏面板６における基片６ａに設けられた窓孔２１を通って後方に突出し、図８に示すように、後端部に設けた左右方向を向く係合孔２２が、筐体１の側板２３の内面に設けた平面視直角三角形の係合突起２４と係合することにより、閉止位置に位置している引出し２の前方への移動を阻止するようになっている。
【００４２】
下方の軸受部材１９の上方において、ラッチ軸１７のまわりには、ラッチレバー２０を、図８に示すように、窓孔２１の外側縁に当接して停止する係止位置に向かって付勢するねじりコイルばね２５が設けられている。
【００４３】
このねじりコイルばね２５の付勢力に抗して、手掛け部８ｃを前方に回動させ、そのときの突軸１５の下端部で、ラッチ軸１７の上端部のアーム部１７ａとともに、ラッチレバー２０を、図８に矢印で示す解除方向に回動させることにより、ラッチレバー２０の係合孔２２を、係合突起２４から離脱させて、ラッチ解除させることにより、引出し２を、閉止位置から自由に前方に引き出すことができる。
【００４４】
上記構成のうち、ラッチ軸１７とラッチレバー２０と係合突起２４とねじりコイルばね２５とにより、ラッチ機構９が形成され、またラッチ軸１７のアーム部１７ａと突軸１５とにより、操作レバー８とラッチ機構９との連係手段が形成されている。
【００４５】
この第１の実施形態のような構成とすると、ラッチ機構９を予め装着しておいた裏面板６の垂下片６ｆの下縁に、突片１２が係合するようにして、操作レバー８の折り返し部８ｄを、裏面板６の上向き突片６ｅの上縁に被せるだけで(そのとき、ラッチ軸１７のアーム部１７ａを、前方に向けておき、操作レバー８の装着後に、突軸１５の前面に当接する位置まで戻す)、操作レバー８を裏面板６に簡単に装着することができ、その後、裏面板６の前面における操作レバー８の下方に、表面板７を取付けるだけで、引出し２を簡単かつ迅速に組み立てることができる。
【００４６】
図９は、本発明の第２の実施形態を備えるキャビネットにおける図６と同様の部分の縦断側面図である。なお、第１の実施形態におけるのと同一または類似の部材には、同一の符号を付して図示するに止め、それらについての詳細な説明は省略する(後述する第３の実施形態においても同様とする)。
【００４７】
図９に示す引出し２は、最上段のもの(図１参照)で、その操作レバー８における基片８ａの右端部(左右の両端部、またはその他の部位としてもよい)の後面に、後端に上向きのフック部２６ａを有する後方を向くラッチレバー２６を突設し、このラッチレバー２６を、裏面板６における基片６ａの上部に設けた窓孔２７を通って、裏面板６の後方に突出させ、上記フック部２６ａが、筐体１における天板１ａの下面前部に設けた左右方向を向く凹溝２８の前縁に係合することにより、引出し２を筐体１から前方に引き出し不能として拘束し、操作レバー８の手掛け部８ｃを前方に回動させることにより、ラッチレバー２６がそれと一体となって回動して、そのフック部２６ａが凹溝２８の前縁から下方に離脱し、引出し２を筐体１から前方に自由に引き出せるようにしてある。
なお、図示は省略してあるが、ラッチレバー２６を凹溝２８の前縁に係合する方向に付勢する付勢手段が設けられている。この付勢手段は、例えば前面板５と、ラッチレバー２６または操作レバー８との間に設ければよい。
【００４８】
この第２の実施形態においては、ラッチレバー２６がラッチ機構を構成し、第１の実施形態におけるラッチ機構９および突軸１５は省略してある。
【００４９】
なお、天板１ａの下面前部に、凹溝２８に代えて、下向き突条(図示略)を設け、この下端後縁に、ラッチレバー２６のフック部２６ａが係脱するようにしてもよい。
また、上から２段目以下の引出し２においては、ラッチレバー２６のフック部２６ａは、筐体１内を上下に仕切る仕切板(図示略)の下面前部に設けた凹溝２８と同様の凹溝の前縁、またはそれに代わる下向き突条の下端後縁に係脱しうるようにすればよい。
【００５０】
さらに、ラッチレバー２６が窓孔２７の上縁に当接することにより、操作レバー８の上方、すなわち外方への外れが阻止されるので、第１の実施形態における外れ止め手段としての突片１２を省略し、ラッチレバー２６を外れ止め手段とすることができる。
【００５１】
このような構成とすると、第１の実施形態におけるのと同様の効果を奏することができるだけでなく、ラッチ機構と操作レバー８との構造を、第１の実施形態のものより著しく簡素化することができ、特に、それらを一体として形成することができる。
【００５２】
図１０は、本発明の第３の実施形態を備えるキャビネットにおける図６と同様の部分の縦断側面図である。
この操作レバー８は、基片８ａの上端に、後方を向く水平片２９ａの後端に、若干前傾する起立片２９ｂを連設し、この起立片２９ｂの上端に、前下方を向く折り返し部２９ｃを倒立Ｖ字またはＵ字状に折曲形成してなる複数のフック片２９を、左右方向に適宜の間隔をもって設けたものとしてある。
【００５３】
各フック片２９における水平片２９ａを、裏面板６の上向き突片６ｅに設けた窓孔３０に挿通し、かつ折り返し部２９ｃを、上向き突片６ｅの上縁に後方から係止することにより、操作レバー８は、折り返し部２９ｃの内側角部を中心として前後方向に回動可能として裏面板６に装着されている。
【００５４】
この例においては、窓孔３０を挿通するフック片２９の水平片２９ａにより、操作レバー８が前面板５から外方(この例では上方)に外れるのを阻止する外れ止め手段が形成されている。
【００５５】
このような構成とすると、第１の実施形態におけるのと同様の効果を奏することができるだけでなく、操作レバー８における折り返し部２９ｃを、前向きに設けることができる。
【００５６】
本発明は、上記実施形態に限定されるもではなく、例えば、次のような変形した態様での実施が可能である。
(１)  物品収容部４の向きをそのままとして、前面板５、操作レバー８およびラッチ機構９等の向きを上下反転させたり、右方または左方に９０度回転させて、物品収容部４に取付ける。
すなわち、操作レバー８の折り返し部８ｄ、２９ｃの内側角部を、裏面板６の上下または左右の縁に係合し、それに合わせて、その他の関連構成の向きを変更する。
(２)  操作レバー８を、裏面板６または表面板７に設けた左右１対の側片(図示略)により、回動自在に挟むことにより、操作レバー８が裏面板６(前面板５)の縁に沿う方向へ移動するのを阻止する規制手段とする。
(３)  ラッチ機構９を裏面板６の左右両側部に設け、操作レバー８の左右両側部に設けた下向きの突軸１５をそれらに連係させて、引出し２の左右両側で筐体１に係脱させる。
【図面の簡単な説明】
【００５７】
【図１】本発明の第１の実施形態を備えるキャビネットの正面図である。
【図２】引出しの分解斜視図である。
【図３】図２のIII部の拡大分解斜視図である。
【図４】引出しの正面図である。
【図５】引出しの前部の側面図である。
【図６】図４のVI−VI線拡大縦断側面図である。
【図７】図４のVII−VII線拡大縦断側面図である。
【図８】図４のVIII−VIII線拡大横断平面図である。
【図９】本発明の第２の実施形態を備えるキャビネットにおける図６と同様の部分の縦断側面図である。
【図１０】本発明の第３の実施形態を備えるキャビネットにおける図６と同様の部分の縦断側面図である。
【符号の説明】
【００５８】
１  筐体
１ａ天板
２  引出し
３  施錠装置
４  物品収容部
５  前面板
６  裏面板
６ａ基片
６ｂ側枠部
６ｃ下片
６ｄ上片
６ｅ上向き突片
６ｆ垂下片
７  表面板
７ａ基片
７ｂ側片
７ｃ下片
７ｄ上片
７ｅ垂下片
８  操作レバー
８ａ基片
８ｂ下片
８ｃ手掛け部
８ｄ折り返し部
８ｅ挾持片(規制手段)
９  ラッチ機構
１０  固定ねじ
１１  リブ
１２  突片(外れ止め手段)
１３  突起
１４  長孔
１５  突軸
１６  切欠き
１７  ラッチ軸
１７ａアーム部
１８、１９  軸受部材
２０  ラッチレバー
２１  窓孔
２２  係合孔
２３  側板
２４  係合突起
２５  ねじりコイルばね
２６  ラッチレバー
２６ａフック部
２７  窓孔
２８  凹溝
２９  フック片
２９ａ水平片
２９ｂ起立片
２９ｃ折り返し部
３０  窓孔
【図１】
2010017307.tif 000003
【図２】
2010017307.tif 000004
【図３】
2010017307.tif 000005
【図４】
2010017307.tif 000006
【図５】
2010017307.tif 000007
【図６】
2010017307.tif 000008
【図７】
2010017307.tif 000009
【図８】
2010017307.tif 000010
【図９】
2010017307.tif 000011
【図１０】
2010017307.tif 000012